(57)【要約】【課題】転写効率をより一層良好にするとともに、転写ニップ部での転写材の通過性および剥離性を向上することのできる転写装置およびこれを備えた画像形成装置を提供することである。【解決手段】転写装置において、基材層及び弾性層を有する像担持体ベルトと、前記像担持体ベルトを巻き掛ける第１ローラと、前記第１ローラに巻き掛けられて移動される前記像担持体ベルトを巻き掛ける第２ローラと、前記像担持体ベルトを介して前記第１ローラと当接する第３ローラと、前記像担持体ベルトを介して前記第２ローラと当接する第４ローラと、を有し、前記第４ローラの硬度Ｈ４と、前記第２ローラに前記像担持体ベルトを巻き付けたときの前記第２ローラ上の前記像担持体ベルトの硬度Ｈ６とが、Ｈ６＜Ｈ４の関係を有することを特徴とする。【選択図】図１
2009086632.tif 000002
【特許請求の範囲】
【請求項１】
基材層及び弾性層を有する像担持体ベルトと、
前記像担持体ベルトを巻き掛ける第１ローラと、
前記第１ローラに巻き掛けられて移動される前記像担持体ベルトを巻き掛ける第２ローラと、
前記像担持体ベルトを介して前記第１ローラと当接する第３ローラと、
前記像担持体ベルトを介して前記第２ローラと当接する第４ローラと、
を有し、
前記第４ローラの硬度Ｈ４と、
前記第２ローラに前記像担持体ベルトを巻き付けたときの前記第２ローラ上の前記像担持体ベルトの硬度Ｈ６とが、
Ｈ６＜Ｈ４
の関係を有することを特徴とする転写装置。
【請求項２】
前記第４ローラの硬度Ｈ４と、
前記第２ローラの硬度Ｈ１と、
前記像担持体ベルトの弾性層の硬度Ｈ５とが、
Ｈ４≧Ｈ１
Ｈ１＞Ｈ５
の関係を有する請求項１に記載の転写装置。
【請求項３】
前記第１ローラの硬度Ｈ２と、
前記第３ローラの硬度Ｈ３と、
前記像担持体ベルトの弾性層の硬度Ｈ５とが、
Ｈ２＞Ｈ３
Ｈ３≧Ｈ５
の関係を有する請求項１または２に記載の転写装置。
【請求項４】
前記第１ローラと前記像担持体ベルトを介して当接した前記第３ローラとの間の圧接荷重は、
前記第２ローラと前記像担持体ベルトを介して当接した第４ローラとの間の圧接荷重よりも大きい請求項１〜３のいずれか１項に記載の転写装置。
【請求項５】
前記第２ローラの外径は前記第４ローラの外径より大きい請求項１〜４のいずれか１項に記載の転写装置。
【請求項６】
基材層及び弾性層を有する像担持体ベルトと、
前記像担持体ベルトを巻き掛ける第１ローラと、
前記第１ローラに巻き掛けられて移動される前記像担持体ベルトを巻き掛ける第２ローラと、
前記像担持体ベルトを介して前記第１ローラと当接する第３ローラと、
前記像担持体ベルトを介して前記第２ローラと当接する第４ローラと、
前記第３ローラと前記第４ローラを巻き掛ける転写ベルトと、
を有し、
前記第４ローラに前記転写ベルトを巻きつけたときの前記転写ベルトの前記第４ローラ上の硬度Ｈ７と、
前記第２ローラに前記像担持体ベルトを巻き付けたときの前記第２ローラ上の前記像担持体ベルトの硬度Ｈ６の関係が、
Ｈ６＜Ｈ７
の関係を有する特徴とする転写装置。
【請求項７】
前記第４ローラの硬度Ｈ４と、
前記第２ローラの硬度Ｈ１と、
前記像担持体ベルトの弾性層の硬度Ｈ５とが、
Ｈ４≧Ｈ１
Ｈ１＞Ｈ５
の関係を有する請求項６に記載の転写装置。
【請求項８】
前記第１ローラの硬度Ｈ２と、
前記第３ローラの硬度Ｈ３と、
前記像担持体ベルトの弾性層の硬度Ｈ５とが、
Ｈ２＞Ｈ３
Ｈ３≧Ｈ５
の関係を有する請求項６または７に記載の転写装置。
【請求項９】
前記像担持体ベルト及び前記転写ベルトとを介して当接される前記第１ローラと前記第３ローラとの間の圧接荷重は、
前記像担持体ベルト及び前記転写ベルトを介して当接された前記第２ローラと前記第４ローラとの間の圧接荷重より大きい請求項６〜８のいずれか１項に記載の転写装置。
【請求項１０】
前記第２ローラの外径は前記第４ローラの外径より大きい請求項６〜９のいずれか１項に記載の転写装置。
【請求項１１】
静電潜像が形成される潜像担持体と、
前記静電潜像を液体現像剤で現像する現像装置と、
基材層及び弾性層を有するとともに、前記潜像担持体の像が転写される像担持体ベルトと、
前記像担持体ベルトを巻き掛ける第１ローラと、
前記第１ローラに巻き掛けられて移動される前記像担持体ベルトを巻き掛ける第２ローラと、
前記像担持体ベルトを介して前記第１ローラと当接する第３ローラと、
前記像担持体ベルトを介して前記第２ローラと当接する第４ローラと、
を有し、
前記第４ローラの硬度Ｈ４と、
前記第２ローラに前記像担持体ベルトを巻き付けた硬度Ｈ６とが、
Ｈ６＜Ｈ４
の関係を有することを特徴とする画像形成装置。
【請求項１２】
前記第４ローラの硬度Ｈ４と、
前記第２ローラの硬度Ｈ１と、
前記像担持体ベルトの弾性層の硬度Ｈ５とが、
Ｈ４≧Ｈ１
Ｈ１＞Ｈ５
の関係を有する請求項１１に記載の画像形成装置。
【請求項１３】
静電潜像が形成される潜像担持体と、
前記静電潜像を液体現像剤で現像する現像装置と、
基材層及び弾性層を有するとともに、前記潜像担持体の像が転写される像担持体ベルトと、
前記像担持体ベルトを巻き掛ける第１ローラと、
前記第１ローラに巻き掛けられて移動される前記像担持体ベルトを巻き掛ける第２ローラと、
前記像担持体ベルトを介して前記第１ローラと当接する第３ローラと、
前記像担持体ベルトを介して前記第２ローラと当接する第４ローラと、
前記第３ローラと前記第４ローラを巻き掛ける転写ベルトと、
を有し、
前記第４ローラに前記転写ベルトを巻き掛けたときの前記第４ローラ上の前記転写ベルトの硬度Ｈ７と、
前記第２ローラに前記像担持体ベルトを巻き付けたときの前記第２ローラ上の前記像担持体ベルトの硬度Ｈ６が、
Ｈ６＜Ｈ７
の関係を有することを特徴とする画像形成装置。
【請求項１４】
前記第４ローラの硬度Ｈ４と、
前記第２ローラの硬度Ｈ１と、
前記像担持体ベルトの弾性層の硬度Ｈ５とが、
Ｈ４≧Ｈ１
Ｈ１＞Ｈ５
の関係を有する請求項１３に記載の画像形成装置。
【発明の詳細な説明】
【技術分野】
【０００１】
本発明は、像担持体ベルトに転写された液体現像剤像を紙等の転写材に転写する転写装置およびこれを備えた画像形成装置に関するものである。
【背景技術】
【０００２】
従来、液体現像剤を用いた画像形成装置においては、像担持体ベルトに転写された液体現像剤像を紙等の転写材に転写する転写ユニットを備えた画像形成装置が提案されている（例えば、特許文献１参照）。この特許文献１に開示の画像形成装置に用いられている転写装置では、転写ローラを像担持体ベルトに圧接させて像担持体ベルトが転写ローラに巻き付いている。これにより、転写材移動方向の所定の幅の円弧からなるニップ形状の転写ニップ部が形成されて、良好な転写特性を得ている。
【特許文献１】特開２００１−１６６６１１号公報。
【発明の開示】
【発明が解決しようとする課題】
【０００３】
前述の特許文献１に記載の転写装置では、転写材移動方向の転写ニップ部の幅がある程度得られるものの、像担持体ベルトを転写ローラに巻き付かせていることから、得られる転写ニップ部の幅に限度がある。このため、転写材への転写効率を高めるにも限度があり、より一層の良好な転写効率を得ることは難しい。
【０００４】
また、転写ニップ部のニップ形状が転写ローラの曲率半径でかつ所定の幅の円弧に形成されるため、転写ニップ部に進入してきた転写材も同形状の円弧に強制的に湾曲される。このため、転写ニップ部における転写材の通過性および転写材の剥離性が良好でないという問題がある。
【０００５】
本発明はこのような事情に鑑みてなされたものであって、その目的は、転写効率をより一層良好にするとともに、転写ニップ部での転写材の通過性および剥離性を向上することのできる転写装置およびこれを備えた画像形成装置を提供することである。
【課題を解決するための手段】
【０００６】
本発明の転写装置は、前記課題を解決するために、基材層及び弾性層を有する像担持体ベルトと、前記像担持体ベルトを巻き掛ける第１ローラと、前記第１ローラに巻き掛けられて移動される前記像担持体ベルトを巻き掛ける第２ローラと、前記像担持体ベルトを介して前記第１ローラと当接する第３ローラと、前記像担持体ベルトを介して前記第２ローラと当接する第４ローラと、を有し、前記第４ローラの硬度Ｈ４と、前記第２ローラに前記像担持体ベルトを巻き付けたときの前記第２ローラ上の前記像担持体ベルトの硬度Ｈ６とが、Ｈ６＜Ｈ４の関係を有することを特徴とする。像担持体ベルトが弾性層を備えているため、凹凸の大きい転写材への転写性に優れ、凹部にもきれいな画像を転写でき、転写材は第１転写ニップの開始位置から第２転写ニップ終了位置までの像担持体ベルトに密着して移動するので良好な転写が行われ、途中転写材が大きく湾曲することが無いので転写材の通過性を向上することができる。また、Ｈ６＜Ｈ４に設定することで、第２転写ニップで第２ローラ側に凹んだ湾曲面が形成され、転写材の剥離性を向上させ、転写材の像担持体ベルトへの巻き付きを防止する。
【０００７】
また、本発明の転写装置は、前記第４ローラの硬度Ｈ４と、前記第２ローラの硬度Ｈ１と、前記像担持体ベルトの弾性層の硬度Ｈ５とが、Ｈ４≧Ｈ１、Ｈ１＞Ｈ５の関係を有する。第２転写ニップで第２ローラ側に凹んだ湾曲面の形成に像担持体ベルトの弾性層が寄与し、転写材の剥離性を向上させ、転写材の像担持体ベルト側への巻き付きを防止する。
【０００８】
また、本発明の転写装置は、前記第１ローラの硬度Ｈ２と、前記第３ローラの硬度Ｈ３と、前記像担持体ベルトの弾性層の硬度Ｈ５とが、Ｈ２＞Ｈ３、Ｈ３≧Ｈ５の関係を有する。第３ローラの硬度を像担持体ベルトの弾性層の硬度以上とすることにより、第１転写ニップでの第３ローラ側に凹んだ湾曲面の形成に像担持体ベルトの弾性層が寄与し、転写性、キャリアの回収性を向上することができる。
【０００９】
また、本発明の転写装置は、前記第１ローラと前記像担持体ベルトを介して当接した前記第３ローラとの間の圧接荷重は、前記第２ローラと前記像担持体ベルトを介して当接した第４ローラとの間の圧接荷重よりも大きい。第１転写ニップの圧接荷重を第２転写ニップの圧接荷重より大きくすることにより、第１転写ニップでの転写性向上の機能、第２転写ニップでの転写材の剥離性向上の機能がより発揮される。
【００１０】
また、本発明の転写装置は、前記第２ローラの外径は前記第４ローラの外径より大きい。第２転写ニップでの転写材の剥離性向上の機能がより発揮される。
【００１１】
また、本発明の転写装置は、基材層及び弾性層を有する像担持体ベルトと、前記像担持体ベルトを巻き掛ける第１ローラと、前記第１ローラに巻き掛けられて移動される前記像担持体ベルトを巻き掛ける第２ローラと、前記像担持体ベルトを介して前記第１ローラと当接する第３ローラと、前記像担持体ベルトを介して前記第２ローラと当接する第４ローラと、前記第３ローラと前記第４ローラを巻き掛ける転写ベルトと、を有し、前記第４ローラに前記転写ベルトを巻きつけたときの前記転写ベルトの前記第４ローラ上の硬度Ｈ７と、前記第２ローラに前記像担持体ベルトを巻き付けたときの前記第２ローラ上の前記像担持体ベルトの硬度Ｈ６の関係が、Ｈ６＜Ｈ７の関係を有する特徴とする。像担持体ベルトが弾性層を備えているため、凹凸の大きい転写材への転写性に優れ、凹部にもきれいな画像を転写でき、転写材は第１転写ニップの開始位置から第２転写ニップ終了位置までの像担持体ベルトと転写材支持ベルトとの間に挟持されて密着して移動するので良好な転写が行われ、途中転写材が大きく湾曲することが無いので転写材の通過性を向上することができる。また、Ｈ６＜Ｈ７に設定することで、第２転写ニップで第２ローラ側に凹んだ湾曲面が形成され、転写材の剥離性を向上させ、転写材の像担持体ベルトへの巻き付きを防止する。
【００１２】
また、本発明の転写装置は、前記第４ローラの硬度Ｈ４と、前記第２ローラの硬度Ｈ１と、前記像担持体ベルトの弾性層の硬度Ｈ５とが、Ｈ４≧Ｈ１、Ｈ１＞Ｈ５の関係を有する。第２転写ニップで第２ローラ側に凹んだ湾曲面が形成され、転写材の剥離性を向上させ、転写材の像担持体ベルトへの巻き付きを防止する。
【００１３】
また、本発明の転写装置は、前記第１ローラの硬度Ｈ２と、前記第３ローラの硬度Ｈ３と、前記像担持体ベルトの弾性層の硬度Ｈ５とが、Ｈ２＞Ｈ３、Ｈ３≧Ｈ５の関係を有する。第３ローラの硬度を像担持体ベルトの弾性層の硬度以上とすることにより、第１転写ニップでの第３ローラ側に凹んだ湾曲面の形成に像担持体ベルトの弾性層が寄与し、転写性、キャリアの回収性を向上することができる。
【００１４】
また、本発明の転写装置は、前記像担持体ベルト及び前記転写ベルトとを介して当接される前記第１ローラと前記第３ローラとの間の圧接荷重は、前記像担持体ベルト及び前記転写ベルトを介して当接された前記第２ローラと前記第４ローラとの間の圧接荷重より大きい。第１転写ニップの圧接荷重を第２転写ニップの圧接荷重より大きくすることにより、第１転写ニップでの転写性向上の機能、第２転写ニップでの転写材の剥離性向上の機能がより発揮される。
【００１５】
また、本発明の転写装置は、前記第２ローラの外径は前記第４ローラの外径より大きい。第２転写ニップでの転写材の剥離性向上の機能がより発揮される。
【００１６】
また、本発明の画像形成装置は、静電潜像が形成される潜像担持体と、前記静電潜像を液体現像剤で現像する現像装置と、基材層及び弾性層を有するとともに、前記潜像担持体の像が転写される像担持体ベルトと、前記像担持体ベルトを巻き掛ける第１ローラと、前記第１ローラに巻き掛けられて移動される前記像担持体ベルトを巻き掛ける第２ローラと、前記像担持体ベルトを介して前記第１ローラと当接する第３ローラと、前記像担持体ベルトを介して前記第２ローラと当接する第４ローラと、を有し、前記第４ローラの硬度Ｈ４と、前記第２ローラに前記像担持体ベルトを巻き付けた硬度Ｈ６とが、Ｈ６＜Ｈ４の関係を有することを特徴とする。転写性が良く、像担持体ベルトへの転写材の巻き付きのない画像形成装置とすることができる。
【００１７】
また、本発明の画像形成装置は、前記第４ローラの硬度Ｈ４と、前記第２ローラの硬度Ｈ１と、前記像担持体ベルトの弾性層の硬度Ｈ５とが、Ｈ４≧Ｈ１、Ｈ１＞Ｈ５の関係を有する。第２転写ニップで第２ローラ側に凹んだ湾曲面の形成に像担持体ベルトの弾性層が寄与し、転写材の剥離性を向上させ、転写材の像担持体ベルト側への巻き付きを防止する。
【００１８】
また、本発明の画像形成装置は、静電潜像が形成される潜像担持体と、前記静電潜像を液体現像剤で現像する現像装置と、基材層及び弾性層を有するとともに、前記潜像担持体の像が転写される像担持体ベルトと、前記像担持体ベルトを巻き掛ける第１ローラと、
前記第１ローラに巻き掛けられて移動される前記像担持体ベルトを巻き掛ける第２ローラと、前記像担持体ベルトを介して前記第１ローラと当接する第３ローラと、前記像担持体ベルトを介して前記第２ローラと当接する第４ローラと、前記第３ローラと前記第４ローラを巻き掛ける転写ベルトと、を有し、前記第４ローラに前記転写ベルトを巻き掛けたときの前記第４ローラ上の前記転写ベルトの硬度Ｈ７と、前記第２ローラに前記像担持体ベルトを巻き付けたときの前記第２ローラ上の前記像担持体ベルトの硬度Ｈ６が、Ｈ６＜Ｈ７の関係を有することを特徴とする。第２転写ニップで第２ローラ側に凹んだ湾曲面が形成され、転写材の剥離性を向上させ、転写材の像担持体ベルトへの巻き付きを防止する。
【００１９】
また、本発明の画像形成装置は、前記第４ローラの硬度Ｈ４と、前記第２ローラの硬度Ｈ１と、前記像担持体ベルトの弾性層の硬度Ｈ５とが、Ｈ４≧Ｈ１、Ｈ１＞Ｈ５の関係を有する。第２転写ニップで第２ローラ側に凹んだ湾曲面が形成され、転写材の剥離性を向上させ、転写材の像担持体ベルトへの巻き付きを防止する。
【発明を実施するための最良の形態】
【００２０】
以下、図面を用いて本発明を実施するための最良の形態について説明する。
図１は、本発明の画像形成装置の実施例１を示す図である。
【００２１】
図１に示すように、実施例１の画像形成装置１は、タンデムに配置されたイエロー（Ｙ）、マゼンタ（Ｍ）、シアン（Ｃ）およびブラック（Ｋ）の潜像担持体である感光体２Ｙ,２Ｍ,２Ｃ,２Ｋを備えている。ここで、各感光体２Ｙ,２Ｍ,２Ｃ,２Ｋにおいて、２Ｙはイエローの感光体、２Ｍはマゼンタの感光体、２Ｃはシアンの感光体、２Ｋはブラックの感光体を表す。また、他の部材についても同じように、部材の符号にそれぞれ各色のＹ,Ｍ,Ｃ,Ｋを添えて各色の部材を表す。各感光体２Ｙ,２Ｍ,２Ｃ,２Ｋは、図１に示す例ではいずれも、感光体ドラムから構成されている。なお、各感光体２Ｙ,２Ｍ,２Ｃ,２Ｋは、無端ベルト状に構成することもできる。
【００２２】
これらの感光体２Ｙ,２Ｍ,２Ｃ,２Ｋは、いずれも作動時に図１に矢印で示すように時計回りに回転するようにされている。各感光体２Ｙ,２Ｍ,２Ｃ,２Ｋの周囲には、それぞれ、それらの回転方向上流側から順に、帯電部材３Ｙ,３Ｍ,３Ｃ,３Ｋ、露光装置４Ｙ,４Ｍ,４Ｃ,４Ｋ、現像装置５Ｙ,５Ｍ,５Ｃ,５Ｋ、感光体スクイーズ装置６Ｙ,６Ｍ,６Ｃ,６Ｋ、一次転写装置７Ｙ,７Ｍ,７Ｃ,７Ｋ、および除電装置８Ｙ,８Ｍ,８Ｃ,８Ｋが配設されている。なお、図示しないが、各除電装置８Ｙ,８Ｍ,８Ｃ,８Ｋと各帯電部材３Ｙ,３Ｍ,３Ｃ,３Ｋとの間には、それぞれ感光体クリーニング装置が配設されている。
【００２３】
また、画像形成装置１は、中間転写媒体である無端状の中間転写ベルト１０を備えている。この中間転写ベルト１０は図示しないモータの駆動力が伝達されるベルト駆動ローラ１１および一対の従動ローラ１２,１３に張架されて図１において反時計回りに回転可能に設けられている。その場合、ベルト駆動ローラ１１と一方の従動ローラ１２は互いに、搬送されてくる紙等の転写材の矢印で示す移動方向に所定間隔を置いて隣接して配設されている。また、ベルト駆動ローラ１１と他方の従動ローラ１３は互いに各感光体２Ｙ,２Ｍ,２Ｃ,２Ｋのタンデム配置方向に沿って離間して配設されている。
【００２４】
中間転写ベルト１０は、図２に示されるように、基材層１０ａに弾性層１０ｂが積層され、弾性層１０ｂの表面に表層１０ｃが形成された複層構造となっている。弾性層１０ｂを備えた複層構造とすることにより中間転写ベルト１０を厚み方向へ適度な弾性を持たせ感光体２Ｙ,２Ｍ,２Ｃ,２Ｋからの液体現像剤像の転写性及び転写材への転写性が向上し、特に、凹凸の大きい転写性に優れ、凹部にもきれいな画像を転写できる。基材層１０ａを構成する材料は、ポリイミド樹脂、またはポリアミドイミド樹脂等であり、弾性層１０ｂを構成する材料は、導電性のポリウレタンゴム等であり、表層１０ｃを構成する材料はフッ素樹脂等である。
【００２５】
なお、この例の画像形成装置１では、各感光体２Ｙ,２Ｍ,２Ｃ,２Ｋおよび各現像装置５Ｙ,５Ｍ,５Ｃ,５Ｋは中間転写ベルト１０の回転方向上流側から色Ｙ、Ｍ、Ｃ、Ｋの順に配設されているが、これらの各色Ｙ、Ｍ、Ｃ、Ｋの配置順は任意に設定することができる。
【００２６】
各一次転写装置７Ｙ,７Ｍ,７Ｃ,７Ｋより中間転写ベルト１０の回転方向下流側の各一次転写装置７Ｙ,７Ｍ,７Ｃ,７Ｋの近傍には、それぞれ、中間転写ベルトスクイーズ装置１５Ｙ,１５Ｍ,１５Ｃ,１５Ｋが配設されている。更に、中間転写ベルト１０のベルト駆動ローラ１１側には二次転写装置１６が設けられ、また中間転写ベルト１０の従動ローラ１３側には中間転写ベルトクリーニング装置１７が設けられている。
【００２７】
なお、図示しないが、この例の画像形成装置１は、二次転写を行う従来の一般的な画像形成装置と同様に、二次転写装置１６より転写材搬送方向上流側に例えば紙等の転写材を収納する転写材収納装置と、この転写材収納装置からの転写材を二次転写装置１６へ搬送供給するレジストローラ対とを備えている。また、この画像形成装置１は、同様に二次転写装置１６より転写材搬送方向下流側に定着装置および排紙トレイを備えている。
【００２８】
各帯電部材３Ｙ,３Ｍ,３Ｃ,３Ｋはそれぞれ例えば帯電ローラからなる。各帯電部材３Ｙ,３Ｍ,３Ｃ,３Ｋには、図示しない電源装置から液体現像剤の帯電極性と同極性のバイアスがそれぞれ印加される。そして、各帯電部材３Ｙ,３Ｍ,３Ｃ,３Ｋは、それぞれ、対応する感光体２Ｙ,２Ｍ,２Ｃ,２Ｋを帯電するようになっている。各帯電部材３Ｙ,３Ｍ,３Ｃ,３Ｋとしてコロナ帯電器を用いても良い。また、各露光装置４Ｙ,４Ｍ,４Ｃ,４Ｋは、それぞれ、対応する帯電された感光体２Ｙ,２Ｍ,２Ｃ,２Ｋ上に、例えばレーザ走査光学系等からレーザ光を照射することによって静電潜像を形成するようになっている。
【００２９】
各現像装置５Ｙ,５Ｍ,５Ｃ,５Ｋは、それぞれ、現像剤供給部１８Ｙ,１８Ｍ,１８Ｃ,１８Ｋと、現像ローラ１９Ｙ,１９Ｍ,１９Ｃ,１９Ｋと、トナー帯電用コロナ帯電器２０Ｙ,２０Ｍ,２０Ｃ,２０Ｋと、現像ローラクリーナ２１Ｙ,２１Ｍ,２１Ｃ,２１Ｋと、現像ローラクリーナ回収液貯留部２２Ｙ,２２Ｍ,２２Ｃ,２２Ｋとを備えている。
【００３０】
各現像剤供給部１８Ｙ,１８Ｍ,１８Ｃ,１８Ｋは、それぞれ、トナー粒子および不揮発性液体キャリアからなる液体現像剤２３Ｙ,２３Ｍ,２３Ｃ,２３Ｋを収納する現像剤容器２４Ｙ,２４Ｍ,２４Ｃ,２４Ｋと、現像剤汲み上げローラ２５Ｙ,２５Ｍ,２５Ｃ,２５Ｋと、アニロクスローラ２６Ｙ,２６Ｍ,２６Ｃ,２６Ｋと、現像剤規制ブレード２７Ｙ,２７Ｍ,２７Ｃ,２７Ｋとを備えている。
【００３１】
各現像剤容器２４Ｙ,２４Ｍ,２４Ｃ,２４Ｋ内に収納される液体現像剤２３Ｙ,２３Ｍ,２３Ｃ,２３Ｋにおいて、トナーとしては、トナーに使用される公知の熱可塑性樹脂中へ同じく公知の顔料等の着色剤を分散させた例えば平均粒径１μｍの粒子を用いることができる。一方、液体キャリアとしては、低粘性低濃度の液体現像剤の場合は、例えばＩｓｏｐａｒ（商標：エクソン社）の絶縁性液体キャリアを用いることができる。また、液体キャリアとして、高粘性高濃度の液体現像剤の場合は、例えば、有機溶媒、フェニルメチルシロキサン、ジメチルポリシロキサンおよびポリジメチルシクロシロキサン等の引火点２１０℃以上のシリコーンオイル、鉱物油、沸点１７０℃以上で４０℃での粘度が３ｍＰａ・ｓの比較的低粘度の流動パラフィンなどの脂肪族飽和炭化水素、ノルマルパラフィン、植物油、食用油、高級脂肪酸エステル、等の絶縁性液体キャリアを用いることができる。そして、液体現像剤２３Ｙ,２３Ｍ,２３Ｃ,２３Ｋはトナー粒子を液体キャリアへ分散剤とともに添加し、トナー固形分濃度を約２０％としたものである。
【００３２】
各現像剤汲み上げローラ２５Ｙ,２５Ｍ,２５Ｃ,２５Ｋは、それぞれ、各現像剤容器２４Ｙ,２４Ｍ,２４Ｃ,２４Ｋ内の液体現像剤２３Ｙ,２３Ｍ,２３Ｃ,２３Ｋを汲み上げて各アニロクスローラ２６Ｙ,２６Ｍ,２６Ｃ,２６Ｋに供給するローラである。各現像剤汲み上げローラ２５Ｙ,２５Ｍ,２５Ｃ,２５Ｋは、いずれも図１において矢印で示す時計まわりに回転するようにされている。また、各アニロクスローラ２６Ｙ,２６Ｍ,２６Ｃ,２６Ｋは、いずれも、円筒状の部材で表面に微細かつ一様に螺旋状の溝を形成したローラである。溝の寸法は、例えば、溝ピッチが約１７０μｍ、溝深さが約３０μｍに設定される。もちろん、溝の寸法はこれらの値に限定されることはない。各アニロクスローラ２６Ｙ,２６Ｍ,２６Ｃ,２６Ｋは、いずれも各現像ローラ１９Ｙ,１９Ｍ,１９Ｃ,１９Ｋと同じ方向で図１において矢印で示す反時計まわりに回転するようにされている。なお、各アニロクスローラ２６Ｙ,２６Ｍ,２６Ｃ,２６Ｋは、いずれも各現像ローラ１９Ｙ,１９Ｍ,１９Ｃ,１９Ｋと連れ回りで回転するようにすることもできる。すなわち、アニロクスローラ２６Ｙ,２６Ｍ,２６Ｃ,２６Ｋの回転方向は、限定されず任意である。
【００３３】
各現像剤規制ブレード２７Ｙ,２７Ｍ,２７Ｃ,２７Ｋは、それぞれ、各アニロクスローラ２６Ｙ,２６Ｍ,２６Ｃ,２６Ｋの表面に当接して設けられている。これらの現像剤規制ブレード２７Ｙ,２７Ｍ,２７Ｃ,２７Ｋは、それぞれ、各アニロクスローラ２６Ｙ,２６Ｍ,２６Ｃ,２６Ｋの表面に当接する、ウレタンゴム等からなるゴム部と、このゴム部を支持する金属等の板とから構成されている。そして、各現像剤規制ブレード２７Ｙ,２７Ｍ,２７Ｃ,２７Ｋは、それぞれ、各アニロクスローラ２６Ｙ,２６Ｍ,２６Ｃ,２６Ｋの溝部以外の表面に付着する液体現像剤をゴム部で掻き落として除去する。したがって、各アニロクスローラ２６Ｙ,２６Ｍ,２６Ｃ,２６Ｋは、それらの溝部内に付着する液体現像剤のみを各現像ローラ１９Ｙ,１９Ｍ,１９Ｃ,１９Ｋに供給するようになっている。
【００３４】
各現像ローラ１９Ｙ,１９Ｍ,１９Ｃ,１９Ｋは、いずれも、例えば幅約３２０ｍｍの円筒状の部材であり、例えば鉄等金属シャフトの外周部に、導電性ウレタンゴム等の弾性体と樹脂層やゴム層を備えたものである。これらの現像ローラ１９Ｙ,１９Ｍ,１９Ｃ,１９Ｋはそれぞれ各感光体２Ｙ,２Ｍ,２Ｃ,２Ｋに当接され、かつ図１において矢印で示すように反時計まわりに回転するようにされている。
【００３５】
各トナー帯電用コロナ帯電器２０Ｙ,２０Ｍ,２０Ｃ,２０Ｋは、それぞれ電圧を印加されて、対応する各現像ローラ１９Ｙ,１９Ｍ,１９Ｃ,１９Ｋを帯電するようになっている。
【００３６】
更に、各現像ローラクリーナ２１Ｙ,２１Ｍ,２１Ｃ,２１Ｋは、それぞれ、対応する現像ローラ１９Ｙ,１９Ｍ,１９Ｃ,１９Ｋの表面に当接する例えばゴム等で構成され、現像ローラ１９Ｙ,１９Ｍ,１９Ｃ,１９Ｋに残留する現像剤を掻き落として除去するためのものである。更に、各現像ローラクリーナ回収液貯留部２２Ｙ,２２Ｍ,２２Ｃ,２２Ｋは、それぞれ、各現像ローラクリーナ２１Ｙ,２１Ｍ,２１Ｃ,２１Ｋによって現像ローラ１９Ｙ,１９Ｍ,１９Ｃ,１９Ｋから掻き落とされた現像剤を貯留するタンク等の容器から構成されている。
【００３７】
更に、この例の画像形成装置１は、それぞれ液体現像剤２３Ｙ,２３Ｍ,２３Ｃ,２３Ｋを現像剤容器２４Ｙ,２４Ｍ,２４Ｃ,２４Ｋに補給する現像剤補給装置３０Ｙ,３０Ｍ,３０Ｃ,３０Ｋを備えている。これらの現像剤補給装置３０Ｙ,３０Ｍ,３０Ｃ,３０Ｋは、それぞれ、トナータンク３１Ｙ,３１Ｍ,３１Ｃ,３１Ｋと、キャリアタンク３２Ｙ,３２Ｍ,３２Ｃ,３２Ｋと、撹拌装置３３Ｙ,３３Ｍ,３３Ｃ,３３Ｋとを備えている。
【００３８】
各トナータンク３１Ｙ,３１Ｍ,３１Ｃ,３１Ｋには、それぞれ各高濃度液体トナー３４Ｙ,３４Ｍ,３４Ｃ,３４Ｋが収納されている。また、各キャリアタンク３２Ｙ,３２Ｍ,３２Ｃ,３２Ｋには、それぞれ各液体キャリア（キャリアオイル）３５Ｙ,３５Ｍ,３５Ｃ,３５Ｋが収納されている。更に、各撹拌装置３３Ｙ,３３Ｍ,３３Ｃ,３３Ｋには、各トナータンク３１Ｙ,３１Ｍ,３１Ｃ,３１Ｋからの所定量の各高濃度液体トナー３４Ｙ,３４Ｍ,３４Ｃ,３４Ｋと各キャリアタンク３２Ｙ,３２Ｍ,３２Ｃ,３２Ｋからの所定量の各液体キャリア３５Ｙ,３５Ｍ,３５Ｃ,３５Ｋとが供給されるようになっている。
【００３９】
そして、各撹拌装置３３Ｙ,３３Ｍ,３３Ｃ,３３Ｋは、それぞれ、供給された各高濃度液体トナー３４Ｙ,３４Ｍ,３４Ｃ,３４Ｋおよび各液体キャリア３５Ｙ,３５Ｍ,３５Ｃ,３５Ｋをそれぞれ混合撹拌して各現像装置５Ｙ,５Ｍ,５Ｃ,５Ｋで使用する液体現像剤２３Ｙ,２３Ｍ,２３Ｃ,２３Ｋを作製する。各撹拌装置３３Ｙ,３３Ｍ,３３Ｃ,３３Ｋでそれぞれ作製された各液体現像剤２３Ｙ,２３Ｍ,２３Ｃ,２３Ｋは、それぞれ各現像剤容器２４Ｙ,２４Ｍ,２４Ｃ,２４Ｋに供給されるようになっている。
【００４０】
各感光体スクイーズ装置６Ｙ,６Ｍ,６Ｃ,６Ｋは、それぞれ、スクイーズローラ３６Ｙ,３６Ｍ,３６Ｃ,３６Ｋと、スクイーズローラクリーナ３７Ｙ,３７Ｍ,３７Ｃ,３７Ｋと、スクイーズローラクリーナ回収液貯留容器３８Ｙ,３８Ｍ,３８Ｃ,３８Ｋとを備えている。各スクイーズローラ３６Ｙ,３６Ｍ,３６Ｃ,３６Ｋは、それぞれ、各感光体２Ｙ,２Ｍ,２Ｃ,２Ｋと各現像ローラ１９Ｙ,１９Ｍ,１９Ｃ,１９Ｋとの当接部（ニップ部）より各感光体２Ｙ,２Ｍ,２Ｃ,２Ｋの回転方向下流側に設置されている。そして、これらのスクイーズローラ３６Ｙ,３６Ｍ,３６Ｃ,３６Ｋは、それぞれ、各感光体２Ｙ,２Ｍ,２Ｃ,２Ｋと逆方向（図１において反時計回り）に回転されて、各感光体２Ｙ,２Ｍ,２Ｃ,２Ｋ上の液体キャリアを除去するようになっている。
【００４１】
各スクイーズローラ３６Ｙ,３６Ｍ,３６Ｃ,３６Ｋとしては、いずれも、金属製芯金の表面に導電性ウレタンゴム等の弾性部材とフッ素樹脂製表層を配した弾性ローラが好適である。また、各スクイーズローラクリーナ３７Ｙ,３７Ｍ,３７Ｃ,３７Ｋは、いずれもゴム等の弾性体からなり、それぞれ対応するスクイーズローラ３６Ｙ,３６Ｍ,３６Ｃ,３６Ｋの表面に当接され、これらのスクイーズローラ３６Ｙ,３６Ｍ,３６Ｃ,３６Ｋに残留する液体キャリアを掻き落として除去するものである。更に、各スクイーズローラクリーナ回収液貯留容器３８Ｙ,３８Ｍ,３８Ｃ,３８Ｋは、それぞれ対応するスクイーズローラクリーナ３７Ｙ,３７Ｍ,３７Ｃ,３７Ｋが掻き落とした現像剤を貯留するタンク等の容器である。
【００４２】
各一次転写装置７Ｙ,７Ｍ,７Ｃ,７Ｋは、それぞれ、中間転写ベルト１０を各感光体２Ｙ,２Ｍ,２Ｃ,２Ｋに当接させる一次転写用のバックアップローラ３９Ｙ,３９Ｍ,３９Ｃ,３９Ｋを備えている。各バックアップローラ３９Ｙ,３９Ｍ,３９Ｃ,３９Ｋは、トナー粒子の帯電極性と逆極性の例えば約−２００Ｖが印加されて、各感光体２Ｙ,２Ｍ,２Ｃ,２Ｋ上の各色のトナー像（液体現像剤像）を中間転写ベルト１０に一次転写する。また、各除電装置８Ｙ,８Ｍ,８Ｃ,８Ｋは、それぞれ、一次転写後に各感光体２Ｙ,２Ｍ,２Ｃ,２Ｋに残留する電荷を除去するものである。
【００４３】
各中間転写ベルトスクイーズ装置１５Ｙ,１５Ｍ,１５Ｃ,１５Ｋは、それぞれ、中間転写ベルトスクイーズローラ４０Ｙ,４０Ｍ,４０Ｃ,４０Ｋと、中間転写ベルトスクイーズローラクリーナ４１Ｙ,４１Ｍ,４１Ｃ,４１Ｋと、中間転写ベルトスクイーズローラクリーナ回収液貯留容器４２Ｙ,４２Ｃ,４２Ｋ,４２Ｋとを備えている。各中間転写ベルトスクイーズローラ４０Ｙ,４０Ｍ,４０Ｃ,４０Ｋは、それぞれ中間転写ベルト１０上の対応する色の液体キャリアを回収するものである。また、各中間転写ベルトスクイーズローラクリーナ４１Ｙ,４１Ｍ,４１Ｃ,４１Ｋは、それぞれ中間転写ベルトスクイーズローラ４０Ｙ,４０Ｍ,４０Ｃ,４０Ｋのローラ上の回収した液体キャリアを掻き取るものである。これらの中間転写ベルトスクイーズローラクリーナ４１Ｙ,４１Ｍ,４１Ｃ,４１Ｋは、それぞれ各スクイーズローラクリーナ３７Ｙ,３７Ｍ,３７Ｃ,３７Ｋと同様にゴム等の弾性体からなっている。更に、各中間転写ベルトスクイーズローラクリーナ回収液貯留容器４２Ｍ,４２Ｃ,４２Ｋ,４２Ｋは、それぞれ各中間転写ベルトスクイーズローラクリーナ４１Ｙ,４１Ｍ,４１Ｃ,４１Ｋで掻き取った液体キャリアを回収貯留するものである。
【００４４】
二次転写装置１６は、互いに転写材移動方向に沿って所定間隔離間して配置された一対の二次転写ローラを備えている。これらの一対の二次転写ローラのうち、転写材の移動方向の上流側に配置される二次転写ローラが第１二次転写ローラ４３である。また、一対の二次転写ローラのうち、転写材の移動方向の下流側に配置される二次転写ローラが第２二次転写ローラ４４である。また、第１、第２二次転写ローラ４３,４４は、それぞれベルト駆動ローラ１１および従動ローラ１２に中間転写ベルト１０を介して当接可能となっている。
【００４５】
すなわち、これらの第１、第２二次転写ローラ４３,４４は、それぞれ、ベルト駆動ローラ１１および従動ローラ１２に巻き掛けられた中間転写ベルト１０に転写材を密着させるとともに、転写材を中間転写ベルト１０に密着させた状態で転写材を搬送しながら、中間転写ベルト１０上の各色のトナー像が合わせられたカラーのトナー像（液体現像剤像）を転写材に二次転写するようになっている。
【００４６】
その場合、ベルト駆動ローラ１１および従動ローラ１２は、それぞれ二次転写時の第１、第２転写ローラ４３,４４のバックアップローラとしても機能する。すなわち、ベルト駆動ローラ１１は二次転写装置１６において従動ローラ１２より転写材の移動方向上流側に配置される第１バックアップローラとして兼用される。また、従動ローラ１２は二次転写装置１６においてベルト駆動ローラ１１より転写材の移動方向下流側に配置される第２バックアップローラとして兼用される。
【００４７】
二次転写時に、第１二次転写ローラ４３が中間転写ベルト１０を介してベルト駆動ローラ１１に圧接される荷重は、第２二次転写ローラ４４が中間転写ベルト１０を介して従動ローラ１２に圧接される荷重より大きく設定される。
【００４８】
したがって、二次転写装置１６に搬送されてきた転写材は、第１二次転写ローラ４３とベルト駆動ローラ１１（第１バックアップローラ）との圧接開始位置（ニップ開始位置）から第２二次転写ローラ４４と従動ローラ１２（第２バックアップローラ）との圧接終了位置（ニップ終了位置）までの転写材の所定の移動領域で中間転写ベルト１０に密着される。これにより、中間転写ベルト１０上のフルカラーのトナー像が、中間転写ベルトに密着した状態の転写材に所定時間にわたって二次転写されるので、良好な二次転写が行われる。
【００４９】
第２二次転写ローラ４４の径は、従動ローラ１２の径より小さく設定される。したがって、 転写材が中間転写ベルト１０と転写材支持ベルト５２との間に挟持され、二次転写位置での転写材の通過性は良好に保持される。また、転写材Ｓは第２二次転写ローラ４４と従動ローラ１２との圧接位置の通過後に中間転写ベルト１０から容易に剥離するようになる。
【００５０】
また、第２二次転写ローラ４４の径は、第１二次転写ローラ４３の径より小さくされる。
【００５１】
二次転写後に第１、第２二次転写ローラ４３，４４にそれぞれ残留する液体現像剤は、
それぞれ二次転写ローラクリーナ４５、４６によって掻き落とされ、各二次転写ローラクリーナ回収液貯留容器４７，４８に回収され貯留される。
【００５２】
中間転写ベルトクリーニング装置１７は、中間転写ベルトクリーナ４９と中間転写ベルトクリーナ回収液貯留容器５０とを備えている。中間転写ベルトクリーナ４９は中間転写ベルト１０に当接されて二次転写後に中間転写ベルト１０の表面に残留する現像剤を掻き落として除去するものである。その場合、従動ローラ１３は中間転写ベルトクリーニング時のバックアップローラとしても機能する。この中間転写ベルトクリーナ４９はゴム等の弾性体からなっている。また、中間転写ベルトクリーナ回収液貯留容器５０は、中間転写ベルトクリーナ４９が中間転写ベルト１０から掻き落とした現像剤を回収して貯留するものである。
【００５３】
本発明の実施例１の転写装置におけるベルト駆動ローラ１１（第１バックアップローラ）、第１二次転写ローラ４３、従動ローラ１２（第２バックアップローラ）、第２二次転写ローラ４４および中間転写ベルト１０の具体例を次の表１に示す。
【００５４】
【表１】
2009086632.tif 000003
【００５５】
各ローラ（１１、１２、４３、４４）の硬度（Ｈ１〜Ｈ４）は、ＪＩＳ−Ｋ６２５３に準拠してタイプＡで測定した。中間転写ベルト１０の弾性層１０ｂの硬度Ｈ５は、表層（コート層）１０ｃと基材層１０ａを削いで弾性層１０ｂのみとし、ＪＩＳ−Ｋ６２５３に準拠して積層させて厚さが６ｍｍ程度の状態で測定した。また、Ｈ５の測定は、表層１０ｃを剥離した状態でＪＩＳ−Ｋ６２５３に準拠してＩＲＨＤスケールにて測定しても良い。従動ローラ１２に中間転写ベルト１０を巻き付けた時の表層側の硬度Ｈ６は、ＪＩＳ−Ｋ６２５３に準拠してＩＲＨＤスケールにて測定した。ＪＩＳ−Ｋ６２５３にも記載されているが、タイプＡとＩＲＨＤ硬度はゴム硬度として同程度で扱うことが可能であるため、大小関係の比較として有効である。
【００５６】
電気抵抗の測定は、ハイレスタ、ＵＲプローブで２５０Ｖ印加時の値である。
【００５７】
表１に示されるように、各ローラ（１１、１２、４３、４４）の硬度（Ｈ１〜Ｈ４）、
中間転写ベルト１０の弾性層１０ｂの硬度Ｈ５、従動ローラ１２に中間転写ベルトを巻き付けた硬度Ｈ６を設定した場合の二次転写部１６の転写ニップの形状を図３に示す。
【００５８】
図３に示されるように、二次転写部１６の最初の転写ニップ部では、ベルト駆動ローラ１１の硬度Ｈ２（６０°）が、第１二次転写ローラ４３の硬度Ｈ３（４０°）より大きく、第１二次転写ローラ４３の硬度Ｈ３が中間転写ベルト１０の弾性層１０ｂの硬度Ｈ５（３０°）以上に設定されている。Ｈ２＞Ｈ３、Ｈ３≧Ｈ５に設定することにより、ベルト駆動ローラ１１と中間転写ベルト１０を介した第１二次転写ローラ４３の圧接部である第１転写ニップ部では、第１二次転写ローラ４３側に凹んだ湾曲面となり、転写ニップの幅を確保でき、転写性が向上し、さらに、中間転写ベルト１０上の液体現像剤像からの余剰キャリアの回収性が向上する。
【００５９】
一方、第２転写ローラ４４の硬度Ｈ４（８０°）を従動ローラ１２（第２バックアップローラ）の硬度Ｈ１（４０°）より大きくし、従動ローラ１２（第２バックアップローラ）の硬度Ｈ１を中間転写ベルト１０の弾性層１０ｂの硬度Ｈ５（３０°）より大きくし、従動ローラ１２（第２バックアップローラ）に中間転写ベルト１０を巻き付けた時の表層側からの硬度Ｈ６（６０°）を第２二次転写ローラ４４の硬度Ｈ４（８０°）より小さく設定されている。Ｈ６＜Ｈ４に設定することにより、図３に示すように、二次転写時に第２二次転写ローラ４４が従動ローラ１２（第２バックアップローラ）に中間転写ベルト１０を介して圧接された時、第２二次転写ローラ４４の圧接部（第２転写ニップ部）が中間転写ベルト１０と共に従動ローラ１２側に凹んだ湾曲面になる。したがって、第２二次転写ローラ４４の圧接部（第２転写ニップ部）では転写材Ｓの剥離性が向上し、転写材Ｓの中間転写ベルト１０への巻き付きを防止できる。
【００６０】
したがって、二次転写装置１６に搬送されてきた転写材は、第１二次転写ローラ４３とベルト駆動ローラ１１（第１バックアップローラ）との圧接開始位置（第１転写ニップ開始位置）から第２二次転写ローラ４４と従動ローラ１２（第２バックアップローラ）との圧接終了位置（第２転写ニップ終了位置）までの転写材Ｓの所定の移動領域で中間転写ベルト１０に密着される。これにより、中間転写ベルト１０上のフルカラーのトナー像が、中間転写ベルトに密着した状態の転写材に所定時間にわたって二次転写され、各ローラの硬度と中間転写ベルト１０の弾性層１０ｂの硬度の関係を上記のように設定することにより、第１転写ニップ部で転写性および余剰キャリアの回収性を向上させ、第２転写ニップ部で転写材Ｓの剥離性を向上させ、転写材Ｓの通過性がよく中間転写ベルトに巻き付くことがなく良好な二次転写が行われる。
【００６１】
図４は、本発明の実施例２の画像形成装置を示す図である。なお、図１に示す実施例１と同じ構成要素には同じ符合を付して、その説明は省略する。
【００６２】
実施例２の画像形成装置の二次転写装置１６は、互いに転写材移動方向に沿って所定間隔離間して配置された一対の二次転写ローラを備えている。これらの一対の二次転写ローラのうち、転写材の移動方向の上流側に配置される二次転写ローラが第１二次転写ローラ４３である。また、一対の二次転写ローラのうち、転写材の移動方向の下流側に配置される二次転写ローラが第２二次転写ローラ４４である。そして、これらの第１、第２二次転写ローラ４３,４４には、無端状の転写材支持ベルト５２が掛け渡され、転写材支持ベルト５２にはテンションローラ５１によりテンションが付与されている。また、第１、第２二次転写ローラ４３,４４は、それぞれベルト駆動ローラ１１および従動ローラ１２に中間転写ベルト１０および転写材支持ベルト５２を介して当接可能となっている。転写材支持ベルト５２を第１二次転写ローラ４３で駆動する。転写材支持ベルト５２は、ポリイミド樹脂またはポリアミドイミド樹脂製とする。
【００６３】
すなわち、これらの第１、第２二次転写ローラ４３,４４に掛け渡された転写材支持ベルト５２は、ベルト駆動ローラ１１および従動ローラ１２に掛けられた中間転写ベルト１０に転写材を密着させるとともに、転写材を中間転写ベルト１０に密着させた状態で転写材を搬送しながら、中間転写ベルト１０上の各色のトナー像が合わせられたカラーのトナー像（液体現像剤像）を転写材に二次転写するようになっている。
【００６４】
その場合、ベルト駆動ローラ１１および従動ローラ１２は、それぞれ二次転写時の二次転写ローラ４３,４４のバックアップローラとしても機能する。すなわち、ベルト駆動ローラ１１は二次転写装置１６において従動ローラ１２より転写材の移動方向上流側に配置される第１バックアップローラとして兼用される。また、従動ローラ１２は二次転写装置１６においてベルト駆動ローラ１１より転写材の移動方向下流側に配置される第２バックアップローラとして兼用される。
【００６５】
したがって、二次転写装置１６に搬送されてきた転写材は、第１二次転写ローラ４３とベルト駆動ローラ１１との圧接開始位置（ニップ開始位置）から第２二次転写ローラ４４と従動ローラ１２との圧接終了位置（ニップ終了位置）までの転写材の所定の移動領域で中間転写ベルト１０に密着される。これにより、中間転写ベルト１０上のフルカラーのトナー像が、中間転写ベルトに密着した状態の転写材に所定時間にわたって二次転写されるので、良好な二次転写が行われる。
【００６６】
一方、第２二次転写ローラ４４の径は、従動ローラ１２の径より小さく設定される。したがって、 転写材が中間転写ベルト１０と転写材支持ベルト５２との間に挟持され、二次転写位置での転写材の通過性は良好に保持される。また、転写材は第２二次転写ローラ４４と従動ローラ１２との圧接位置の通過後に中間転写ベルト１０から容易に剥離するようになる。
【００６７】
また、二次転写装置１６は、転写材支持ベルト５２に対して、転写材支持ベルトクリーナ５３と転写材支持ベルトクリーナ回収液貯留容器５４とを備えている。転写材支持ベルトクリーナ５３は、各スクイーズローラクリーナ３７Ｙ,３７Ｍ,３７Ｃ,３７Ｋと同様にゴム等の弾性体からなる。そして、この転写材支持ベルトクリーナ５３は転写材支持ベルト５２に当接されて二次転写後に転写材支持ベルト５２の表面に残留する液体現像剤等の異物を掻き落として除去する。また、転写材支持ベルトクリーナ回収液貯留容器５４は、転写材支持ベルトクリーナ５３によって転写材支持ベルト５２から掻き落とされた現像剤を回収して貯留する。したがって、転写材支持ベルト５２に付着する液体現像剤等の異物による次の転写材への影響を防止することができる。
【００６８】
本発明の実施例２の転写装置におけるベルト駆動ローラ１１（第１バックアップローラ）、第１二次転写ローラ４３、従動ローラ１２（第２バックアップローラ）、第２二次転写ローラ４４、中間転写ベルト１０および転写材支持ベルト５２の具体例を次の表２に示す。
【００６９】
【表２】
2009086632.tif 000004
【００７０】
各ローラ（１１、１２、４３、４４）の硬度（Ｈ１〜Ｈ４）は、ＪＩＳ−Ｋ６２５３に準拠してタイプＡで測定した。中間転写ベルト１０の弾性層１０ｂの硬度Ｈ５は、表層（コート層）１０ｃと基材層１０ａを削いで弾性層１０ｂのみとし、ＪＩＳ−Ｋ６２５３に準拠して積層させて厚さが６ｍｍ程度の状態で測定した。また、Ｈ５の測定は、表層１０ｃを剥離した状態でＪＩＳ−Ｋ６２５３に準拠してＩＲＨＤスケールにて測定しても良い。従動ローラ１２に中間転写ベルト１０を巻き付けた時の表層側の硬度Ｈ６は、ＪＩＳ−Ｋ６２５３に準拠してＩＲＨＤスケールにて測定した。ＪＩＳ−Ｋ６２５３にも記載されているが、タイプＡとＩＲＨＤ硬度はゴム硬度として同程度で扱うことが可能であるため、大小関係の比較として有効である。
【００７１】
電気抵抗の測定は、ハイレスタ、ＵＲプローブで２５０Ｖ印加時の値である。
【００７２】
表２に示されるように、各ローラ（１１、１２、４３、４４）の硬度（Ｈ１〜Ｈ４）、
中間転写ベルト１０の弾性層１０ｂの硬度Ｈ５、従動ローラ１２に中間転写ベルトを巻き付けた硬度Ｈ６、第２二次転写ローラ４４に転写材支持ベルト５２を巻き付けた時の硬度
Ｈ７を設定した場合の二次転写部１６の転写ニップの形状を図５に示す。
【００７３】
図５に示されるように、二次転写部１６の第１転写ニップ部では、ベルト駆動ローラ１１の硬度Ｈ２（６０°）が、第１二次転写ローラ４３の硬度Ｈ３（４０°）より大きい。Ｈ２＞Ｈ３に設定することにより、ベルト駆動ローラ１１と中間転写ベルト１０、転写材支持ベルト５２を介した第１二次転写ローラ４３の圧接部である第１転写ニップ部では、第１二次転写ローラ４３側に凹んだ湾曲面となり、転写ニップの幅を確保でき、転写性が向上し、さらに、中間転写ベルト１０上の液体現像剤像からの余剰キャリアの回収性が向上する。
【００７４】
一方、第２転写ローラ４４の硬度Ｈ４（８０°）を従動ローラ１２（第２バックアップローラ）の硬度Ｈ１（４０°）より大きくし、従動ローラ１２（第２バックアップローラ）の硬度Ｈ１を中間転写ベルト１０の弾性層１０ｂの硬度Ｈ５（３０°）より大きくし、従動ローラ１２（第２バックアップローラ）に中間転写ベルト１０を巻き付けた時の表層側からの硬度Ｈ６（６０°）を第２二次転写ローラ４４に転写材支持ベルト５２を巻き付けた時の硬度Ｈ７（９０°）より小さく設定されている。Ｈ６＜Ｈ７に設定することにより、図５に示すように、二次転写時に第２二次転写ローラ４４が従動ローラ１２（第２バックアップローラ）に中間転写ベルト１０および転写材支持ベルト５２を介して圧接された時、第２二次転写ローラ４４の圧接部（第２転写ニップ部）が中間転写ベルト１０と共に従動ローラ１２側に凹んだ湾曲面になる。したがって、第２二次転写ローラ４４の圧接部（第２転写ニップ部）では転写材Ｓの剥離性が向上し、転写材Ｓの中間転写ベルト１０への巻き付きを防止できる。
【００７５】
図６は、実施例１の転写装置を用いた二次転写の状態を示す図である。従動ローラ１２への第２二次転写ローラ４４の圧接荷重を３００ｇｆとし、ベルト駆動ローラ１１への第１二次転写ローラ４３の圧接荷重を４５ｋｇｆである。すなわち、従動ローラ１２への第２二次転写ローラ４４の圧接荷重がベルト駆動ローラ１１への第１二次転写ローラ４３の圧接荷重より小さく設定した。そして、ベルト駆動ローラ１１および第１二次転写ローラ４３と従動ローラ１２および第２二次転写ローラ４４との間の距離は、２８ｍｍに設定した。更に、転写バイアスとしてベルト駆動ローラ１１に直流電圧（ＤＣ）を＋６００〜２０００Ｖの範囲で２００Ｖ毎に印加するとともに、他のローラ１２、４３、４４を接地（ＧＮＤ）した。
【００７６】
中間転写ベルト１０として、図２に示されるような、基材層１０ａとして厚さ１００μｍのポリイミドを用い、その上に弾性層１０ｂとして厚さ６００ｕｍのウレタンゴムを積層し、その上にコート層１０ｃとして厚さ１０μｍのフッ素樹脂を被覆した複層構造のものを使用した。中間転写ベルト１０の周速は２１４ｍｍ／ｓｅｃである。
【００７７】
転写効率は、Ｘ−Ｌｉｔｅの光学測定を用いて、中間転写ベルト上の二次転写前の転写トナー濃度および中間転写ベルト上の二次転写後の転写残りトナー濃度を測定し、次式
紙への転写効率[％]＝｛（転写前トナー濃度−転写残りトナー濃度）／（転写前
トナー濃度）｝×１００
により計算した。
【００７８】
そして、転写バイアスとしての直流電圧（ＤＣ）を＋６００〜２０００Ｖの範囲で２００Ｖ毎に印加するたびに、数枚のフジゼロックスＪ紙への印字を行い、印字毎に前述の転写前トナー濃度および前述の転写残りトナー濃度を測定して転写効率を計算し、その平均を転写効率として求めた。実施例１の実験結果、ベルト駆動ローラ１１、第１二次転写ローラ４３、従動ローラ１２、第２二次転写ローラ４４および弾性層１０ｂを備えた複層構造の中間転写ベルト１０の組合せによる本実施例１では、転写効率は９５％であった。また、紙の中間転写ベルト１０への巻きつきも発生しなかった。ベルト駆動ローラ１１および第１二次転写ローラ４３および弾性層１０ｂを備えた複層構造の中間転写ベルト１０の１つのバックアップローラと１つの二次転写ローラの組合せたものを用いて、同じ条件で印字を行い、同様にして転写効率を求めた実験の結果、得られた転写効率は８５％であった。これにより、本発明によれば、転写効率が向上して転写材の剥離性の良い良好な転写を実現できることが確認された。
【００７９】
図７は、実施例２の転写装置を用いた二次転写の状態を示す図である。従動ローラ１２への第２二次転写ローラ４４の圧接荷重を３００ｇｆとし、ベルト駆動ローラ１１への第１二次転写ローラ４３の圧接荷重を４５ｋｇｆである。すなわち、従動ローラ１２への第２二次転写ローラ４４の圧接荷重がベルト駆動ローラ１１への第１二次転写ローラ４３の圧接荷重より小さく設定した。そして、ベルト駆動ローラ１１および第１二次転写ローラ４３と従動ローラ１２および第２二次転写ローラ４４との間の距離は、２８ｍｍに設定した。更に、転写バイアスとしてベルト駆動ローラ１１に直流電圧（ＤＣ）を＋６００〜２０００Ｖの範囲で２００Ｖ毎に印加するとともに、他のローラ１２、４３、４４を接地（ＧＮＤ）した。転写材支持ベルト５２の駆動ローラは第１二次転写ローラ４３とした。中間転写ベルト１０の周速は２１４ｍｍ／ｓｅｃである。
【００８０】
中間転写ベルト１０として、図４に示されるような、基材層１０ａとして厚さ１００μｍのポリイミドを用い、その上に弾性層１０ｂとして厚さ６００ｕｍのウレタンゴムを積層し、その上にコート層１０ｃとして厚さ１０μｍのフッ素樹脂を被覆した複層構造のものを使用した。中間転写ベルト１０の周速は２１４ｍｍ／ｓｅｃである。
【００８１】
転写効率は、Ｘ−Ｌｉｔｅの光学測定を用いて、中間転写ベルト上の二次転写前の転写トナー濃度および中間転写ベルト上の二次転写後の転写残りトナー濃度を測定し、次式
紙への転写効率[％]＝｛（転写前トナー濃度−転写残りトナー濃度）／（転写前
トナー濃度）｝×１００
により計算した。
【００８２】
そして、転写バイアスとしての直流電圧（ＤＣ）を＋６００〜２０００Ｖの範囲で２００Ｖ毎に印加するたびに、数枚のフジゼロックスＪ紙への印字を行い、印字毎に前述の転写前トナー濃度および前述の転写残りトナー濃度を測定して転写効率を計算し、その平均を転写効率として求めた。実施例２の実験結果、ベルト駆動ローラ１１、第１二次転写ローラ４３、従動ローラ１２、第２二次転写ローラ４４、転写材支持ベルト５２および弾性層１０ｂを備えた複層構造の中間転写ベルト１０の組合せによる本実施例２では、転写効率は９５％であった。また、紙の中間転写ベルト１０への巻きつきも発生しなかった。ベルト駆動ローラ１１および第１二次転写ローラ４３および弾性層１０ｂを備えた複層構造の中間転写ベルト１０の１つのバックアップローラと１つの二次転写ローラの組合せたものを用いて、同じ条件で印字を行い、同様にして転写効率を求めた実験の結果、得られた転写効率は８５％であった。これにより、本発明によれば、転写効率が向上して転写材の剥離性の良い良好な転写を実現できることが確認された。
１１および第１二次転写ローラ４３および弾性層１０ｂを備えた複層構造の中間転写ベルト１０の組合せたものを用いて、同じ条件で印字を行い、同様にして転写効率を求めた。比較例の実験結果、得られた転写効率は８５％であった。これにより、本発明によれば、転写効率が向上して転写材の剥離性の良い良好な転写を実現できることが確認された。
【図面の簡単な説明】
【００８３】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【符号の説明】
【００８４】
１…画像形成装置、２Ｙ,２Ｍ,２Ｃ,２Ｋ…各色の感光体、５Ｙ,５Ｍ,５Ｃ,５Ｋ…各色の現像装置、６Ｙ,６Ｍ,６Ｃ,６Ｋ…感光体スクイーズ装置、７Ｙ,７Ｍ,７Ｃ,７Ｋ…各色の一次転写装置、１０…中間転写ベルト、１１…ベルト駆動ローラ（第１バックアップローラ）、１２…従動ローラ（第２バックアップローラ）、１６…二次転写装置、２３Ｙ,２３Ｍ,２３Ｃ,２３Ｋ…液体現像剤、４３…第１二次転写ローラ、４４…第２二次転写ローラ、４５、４６…二次転写ローラクリーナ、４７、４８…二次転写ローラクリーナ回収液貯留容器、５１…テンションローラ、５２…転写材支持ベルト
【図１】
2009086632.tif 000005
【図２】
2009086632.tif 000006
【図３】
2009086632.tif 000007
【図４】
2009086632.tif 000008
【図５】
2009086632.tif 000009
【図６】
2009086632.tif 000010
【図７】
2009086632.tif 000011